(57)【特許請求の範囲】
【請求項１】
データタグキャリア情報アプリケーションシステムであって、
初期キャリアから初期データタグを取得するために用いられ、前記初期データタグに対応する初期サービス処理情報と初期キャリア情報を含む、第一端末と、
前記第一端末に接続され、かつ少なくとも一つの第一キャリアを含み、前記第一端末から前記初期データタグを取得し、かつ各前記第一キャリアを通じて第一データタグを配布するために用いられ、前記第一データタグが第一サービス処理情報と、第一端末情報と、該第一データタグを配布する第一キャリア情報を含む、第一キャリアユニットと、
を含み、
第Ｎ−１キャリアから対応する第Ｎ−１サービス処理情報を取得するために用いられ、第Ｎ−１データタグに対応する第Ｎ−１サービス処理情報と、第Ｎ−１端末情報と、第Ｎ−１キャリア情報を含む第Ｎ端末と、
前記第Ｎ端末に接続され、かつ少なくとも一つの第Ｎキャリアを含み、前記第Ｎ端末から前記第Ｎ−１データタグを取得し、更に各前記第Ｎキャリアを通じて第Ｎデータタグを配布するために用いられ、前記第Ｎデータタグに対応する第Ｎサービス処理情報と、第Ｎ端末情報と、該第Ｎデータタグを配布する第Ｎキャリア情報を含む第Ｎキャリアユニットと、
を更に含み、
前記データタグが特定のコーディング規則に基づき確定された電子タグを含み、
前記第一データタグが第一サービス処理情報と、第一端末情報と、該第一データタグを配布する第一電子タグを含み、
前記第Ｎデータタグが第Ｎサービス処理情報と、第Ｎ端末情報と、該第Ｎデータタグを配布する第Ｎ電子タグを含み、
前記電子タグが無線ネットワーク識別子ＳＳＩＤであり、
ハードウェア資源である第一端末が初期キャリアから初期データタグを取得し、
ハードウェア資源である第一キャリアユニットが前記第一端末から前記初期データタグを取得し、かつ各前記第一キャリアを通じて第一データタグを配布し、
ハードウェア資源である第Ｎ端末が第Ｎ−１キャリアから対応する第Ｎ−１サービス処理情報を取得し、
ハードウェア資源である第Ｎキャリアユニットが前記第Ｎ端末から前記第Ｎ−１データタグを取得し、更に各前記第Ｎキャリアを通じて第Ｎデータタグを配布する、
ことを特徴とするデータタグキャリア情報アプリケーションシステム。
【請求項２】
ハードウェア資源である第一端末が初期キャリアから初期データタグを取得し、
ハードウェア資源である第一キャリアユニットが前記第一端末から前記初期データタグを取得し、かつ各前記第一キャリアを通じて第一データタグを配布し、
ハードウェア資源である第Ｎ端末が第Ｎ−１キャリアから対応する第Ｎ−１サービス処理情報を取得し、
ハードウェア資源である第Ｎキャリアユニットが前記第Ｎ端末から前記第Ｎ−１データタグを取得し、更に各前記第Ｎキャリアを通じて第Ｎデータタグを配布する、構成とするデータタグキャリア情報アプリケーションシステムによるデータタグキャリア情報アプリケーション方法であって、
（Ａ１）第一ユーザーの操作に基づき、第一端末が初期キャリアから初期データタグを取得する。前記初期データタグに対応する初期サービス処理情報と初期キャリア情報を含む。；
（Ａ２）前記第一端末が前記初期データタグを該第一端末に接続される第一のキャリアユニットに送信する。前記第一のキャリアユニットが少なくとも一つの第一キャリアを含む。；
（Ａ３）前記第一のキャリアユニット内の各第一キャリアが第一データタグを配布する。前記第一データタグが第一サービス処理情報と、第一端末情報と、該第一データタグを配布する第一キャリア情報を含む：
という手順を含み、
（Ｂ１）第Ｎユーザーの操作に基づき、第Ｎ端末が第Ｎ−１キャリアから第Ｎ−１データタグを取得する。；
（Ｂ２）前記第Ｎ端末は、前記第Ｎ−１データタグを該第Ｎ端末に接続される第Ｎキャリアユニットに送信する。前記第Ｎキャリアユニットが少なくとも一つの第Ｎキャリアを含む。；
（Ｂ３）前記第Ｎキャリアユニット内の各第Ｎキャリアは第Ｎデータタグを配布する。前記第Ｎデータタグが第Ｎサービス処理情報と、第Ｎ端末情報と、該第Ｎデータタグを配布する第Ｎキャリア情報を含む。：
という手順を更に含み、
前記データタグが特定のコーディング規則に基づき確定された電子タグを含み、
前記手順（Ａ３）が具体的には、
前記第一キャリアユニット内の各第一キャリアが第一データタグを配布する。前記第一データタグが第一サービス処理情報と、第一端末情報と、該第一データタグを配布する第一電子タグを含む；
前記手順（Ｂ３）が具体的には、
前記第Ｎキャリアユニット内の各第Ｎキャリアが第Ｎデータタグを配布する。前記第Ｎデータタグが第Ｎサービス処理情報と、第Ｎ端末情報と、該第Ｎデータタグを配布する第Ｎ電子タグを含む、
ものであり、
前記電子タグが無線ネットワーク識別子ＳＳＩＤである、
ことを特徴とするデータタグキャリア情報アプリケーション方法。
【請求項３】
データタグキャリア情報アプリケーションシステムであって、初期キャリアから初期データタグを取得するために用いられ、前記初期データタグに対応する初期サービス処理情報と初期キャリア情報を含む、第一端末と、
前記第一端末に接続され、かつ少なくとも一つの第一キャリアを含み、前記第一端末から前記初期データタグを取得し、かつ各前記第一キャリアを通じて第一データタグを配布するために用いられ、前記第一データタグが第一サービス処理情報と、第一端末情報と、該第一データタグを配布する第一キャリア情報を含む、第一キャリアユニットと、
第Ｎ−１キャリアから対応する第Ｎ−１サービス処理情報を取得するために用いられ、第Ｎ−１データタグに対応する第Ｎ−１サービス処理情報と、第Ｎ−１端末情報と、第Ｎ−１キャリア情報を含む第Ｎ端末と、
前記第Ｎ端末に接続され、かつ少なくとも一つの第Ｎキャリアを含み、前記第Ｎ端末から前記第Ｎ−１データタグを取得し、更に各前記第Ｎキャリアを通じて第Ｎデータタグを配布するために用いられ、前記第Ｎデータタグに対応する第Ｎサービス処理情報と、第Ｎ端末情報と、該第Ｎデータタグを配布する第Ｎキャリア情報を含む第Ｎキャリアユニットと、  を含むデータタグキャリア情報アプリケーションシステムと；
エンドユーザーの操作に基づき、第一キャリア又は第Ｎキャリアから前記第一データタグ又は第Ｎデータタグを取得し、かつ前記第一又は第Ｎデータタグを解析し、対応する第一／第Ｎサービス処理情報と、第一／第Ｎ端末情報と、第一／第Ｎキャリア情報を取得するために用いられる最終端末と；
サービス機能に基づき初期データタグを生成及び配布し、かつ前記最終端末と対話を行い、前記サービス機能を実現するために用いられる機能サーバーと：
を含む、データタグキャリア情報処理システムであって、
前記機能サーバーがサービス処理情報管理装置に更に接続され、該機能サーバーが前記第一／第Ｎサービス処理情報に基づき前記サービス処理情報管理装置から該第一／第Ｎサービス処理情報を配布するキャリア情報を取得し、かつ該第一／第Ｎサービス処理情報を配布するキャリア情報に基づき、初期サービス処理情報及びその伝達経路を確定するために用いられるものであり、
ハードウェア資源である第一端末が初期キャリアから初期データタグを取得し、
ハードウェア資源である第一キャリアユニットが前記第一端末から前記初期データタグを取得し、かつ各前記第一キャリアを通じて第一データタグを配布し、
ハードウェア資源である第Ｎ端末が第Ｎ−１キャリアから対応する第Ｎ−１サービス処理情報を取得し、
ハードウェア資源である第Ｎキャリアユニットが前記第Ｎ端末から前記第Ｎ−１データタグを取得し、更に各前記第Ｎキャリアを通じて第Ｎデータタグを配布し、
ハードウェア資源である最終端末が第一キャリア又は第Ｎキャリアから前記第一データタグ又は第Ｎデータタグを取得し、かつ前記第一又は第Ｎデータタグを解析し、
ハードウェア資源である機能サーバーがサービス機能に基づき初期データタグを生成及び配布し、かつ前記最終端末と対話を行い、前記サービス機能を実現し、
前記機能サーバーが前記第一／第Ｎサービス処理情報に基づき前記サービス処理情報管理装置から該第一／第Ｎサービス処理情報を配布するキャリア情報を取得し、かつ該第一／第Ｎサービス処理情報を配布するキャリア情報に基づき、初期サービス処理情報及びその伝達経路を確定する、
ことを特徴とするデータタグキャリア情報処理システム。
【請求項４】
請求項３に記載のデータタグキャリア情報処理システムを用いたデータタグキャリア情報処理方法であって、
（Ｃ１）以下の（Ａ１）（Ａ２）（Ａ３）を含むデータタグキャリア情報アプリケーション方法を利用し、前記第一キャリア又は第Ｎキャリア上において前記第一データタグ又は第Ｎデータタグを配布する；
（Ａ１）第一ユーザーの操作に基づき、第一端末が初期キャリアから初期データタグを取得する。前記初期データに対応する初期サービス処理情報と初期キャリア情報を含む。；
（Ａ２）前記第一端末が前記初期データタグを該第一端末に接続される第一のキャリアユニットに送信する。前記第一のキャリアユニットが少なくとも一つの第一キャリアを含む。；
（Ａ３）前記第一キャリアユニット内の各第一キャリアが第一データタグを配布する。前記第一データタグが第一サービス処理情報と、第一端末情報と、該第一データタグを配布する第一キャリア情報を含む：
（Ｃ２）エンドユーザーの操作に基づき、最終端末が前記第一タグ又は第Ｎデータタグを取得する；
（Ｃ３）前記最終端末が前記第一データタグ又は第Ｎデータタグを解析し、対応する第一／第Ｎサービス処理情報と、第一／第Ｎ端末情報と、第一／第Ｎキャリア情報を取得する；
（Ｃ４）前記最終インテリジェント端末が前記第一／第Ｎサービス処理情報に基づき該サービス処理情報に対応する機能サーバーと対話を行い、サービス機能を実現する：
以上の（Ｃ１）（Ｃ２）（Ｃ３）（Ｃ４）を含む、データタグキャリア情報処理方法であって、
前記機能サーバーがサービス処理情報管理装置に更に接続され、
（Ｃ５）前記機能サーバーが前記第一／第Ｎサービス処理情報に基づき前記サービス処理情報管理装置から該第一／第Ｎサービス処理情報を配布するキャリア情報を取得し；
（Ｃ６）前記機能サーバーが該第一／第Ｎサービス処理情報を配布するキャリア情報に基づき初期サービス処理情報及びその伝達経路を確定する：
手順を更に含むことを特徴とするデータタグキャリア情報処理方法。
【請求項５】
第一端末と第Ｎ端末に接続されるキャリアリソース管理装置を更に含み、該キャリアリソース管理装置が各端末に接続されるキャリアユニットの情報を保存し、前記第一端末と第Ｎ端末に対応する端末キャリアユニットの情報を送信するために用いられる、
ことを特徴とする請求項１に記載のデータタグキャリア情報アプリケーションシステム。
【請求項６】
前記第一データタグが初期キャリア情報を更に含み、
前記第Ｎデータタグが第Ｎ−１キャリア情報を更に含む、
ことを特徴とする請求項１に記載のデータタグキャリア情報アプリケーションシステム。
【請求項７】
前記第一端末と第Ｎ端末に接続されるサービス処理情報管理装置を更に含み、
該サービス処理情報管理装置が、前記第一サービス処理情報と、第Ｎサービス処理情報と、対応する第一端末情報と、第一キャリア情報と、第Ｎ端末情報と、第Ｎキャリア情報の保存のために用いられる、
ことを特徴とする請求項１に記載のデータタグキャリア情報アプリケーションシステム。
【請求項８】
前記第一端末と第Ｎ端末がいずれもキャリアリソース管理装置に接続され、前記キャリアリソース管理装置が各端末と接続されるキャリアユニットの情報を保存するものであり、
前記手順（Ａ２）が具体的には、
前記第一端末が前記キャリアリソース管理装置を通じて該第一端末に接続される第一キャリアユニットの情報を取得し、かつ前記初期データタグを該第一キャリアユニット内の少なくとも一つの第一キャリアに送信する手順である；
前記手順（Ｂ２）が具体的には、
前記第Ｎ端末が前記キャリアリソース管理装置を通じて該第Ｎ端末に接続される第Ｎキャリアユニットの情報を取得し、かつ前記第Ｎ−１データタグを該第Ｎキャリアユニット内の少なくとも一つの第Ｎキャリアに送信する手順である；
ことを特徴とする請求項２に記載のデータタグキャリア情報アプリケーション方法。
【請求項９】
前記第一データタグが初期キャリア情報を更に含み、
前記第Ｎデータタグが第Ｎ−１キャリア情報を更に含む、
ことを特徴とする請求項２に記載のデータタグキャリア情報アプリケーション方法。
【請求項１０】
前記第一端末と前記第Ｎ端末がいずれもサービス処理情報管理装置に接続され、
（Ａ４）前記サービス処理情報管理装置が前記第一サービス処理情報と、対応する第一端末情報と、第一キャリア情報を保存する手順；
（Ｂ４）前記サービス処理情報管理装置が前記第Ｎサービス処理情報と、対応する第Ｎ端末情報と、第Ｎキャリア情報を保存する手順；
を更に含む、
ことを特徴とする請求項２に記載のデータタグキャリア情報アプリケーション方法。
【発明の詳細な説明】
【技術分野】
【０００１】
本発明はコンピュータ通信及び応用技術分野に関するものであり、特にネットワークをベースとするデータタグ技術分野に関わるものである。具体的にはデータタグキャリア情報アプリケーション及び処理システム及び方法のことである。
【背景技術】
【０００２】
バーコードがデータタグとして開発された後、その情報容量の大きさ、安全性の高さ、読取率の高さ、エラー修正能力の高さ等といった特性によって、まず物流業務管理、証明書及びカード管理等の分野において広く応用されるようになった。その後、データ通信機能を具備するインテリジェント端末の普及に伴い、バーコードのクラスメディアチャンネルといった特徴とインテリジェント端末のリアルタイム接続、ウェブカメラによるバーコードの識別といった特徴を利用して、情報の取得、オンラインショッピング、商品の偽造防止、身分証明、優待券の配布等のＯＴＯ分野（Ｏｂｊｅｃｔ-ｔｏ-Ｏｂｊｅｃｔ）において新たにバーコードが応用されるようになって来た。しかし、ＯＴＯ分野における現在のバーコードの応用は主に電子商取引でのアクセスの利便性という面に偏っており、より踏み込んだ応用がなされていない。
【０００３】
一方で、例えば二次元コード等のバーコードデータは、雑誌への掲載又は建築物の外壁への表示等といった各種のオフラインキャリア上に広く表示され得るようになったことで、人々の商品又はサービスに関する情報の取得に寄与するものとなっている。この方法は、ユーザーの利用する携帯電話等のインテリジェント端末装置を使用して、多種のキャリア上からタグデータ情報を取得することで、その対応する機能を容易に実現できるものである。しかしながら、オンラインデバイスによって表示されるデータタグとは完全に異なることから、ユーザーがオフラインキャリアから提供されたデータタグを取得した後に再送信を実現すること、即ち転送と共有を実現することは極めて困難であり、特に別のオフラインキャリアを再利用して転送と共有を実現することは不可能であって、オフラインキャリアによって実現されたデータタグの伝達経路を記録することは更に不可能と言わざるを得ない。このことはデータタグ及びそれに対応するサービスの伝達範囲を制限することにつながり、最終的にタグデータの大規模な商業的な応用にも極めて大きな制約をもたらすものとなっている。
【発明の概要】
【発明が解決しようとする課題】
【０００４】
本発明は、上述の従来技術における欠点を克服し、データタグ伝達プロセスにおいてデータタグのキャリア情報を有効に記録することができると同時に、オフラインキャリアに表示されたデータタグの伝達をサポートし、タグデータの伝達範囲を拡大すること、ひいては全体のデータタグ伝達経路を記録し、タグデータをより大規模な商業規模において応用できるようにすることが可能であり、更にシステムがシンプルで、方法の実現形式が簡便であって、低コストを実現するデータタグキャリア情報アプリケーション及び処理システム及び方法を提供することを目的とする。
【課題を解決するための手段】
【０００５】
上述の目的を実現するため、本発明のデータタグキャリア情報アプリケーションシステムは以下の構成を具備する。
【０００６】
該システムは、第一端末と第一キャリアユニットを含む。第一端末は、初期キャリアから初期データタグを取得するために用いられ、前記初期データタグは対応する初期サービス処理情報と初期キャリア情報を含む。第一キャリアユニットは、前記第一端末に接続され、かつ少なくとも一つの第一キャリアを含み、前記第一端末から前記初期データタグを取得するために用いられ、更に各前記第一キャリアを通じて第一データタグを配付し、第一データタグは、第一サービス処理情報と、第一端末情報と、該第一データタグを配布する第一キャリア情報を含む。
【０００７】
該データタグキャリア情報アプリケーションシステムは、第Ｎ端末と第Ｎキャリアユニットを含む。第Ｎ端末は、第Ｎ−１キャリアから第Ｎ−１データタグを取得するために用いられ、前記第Ｎ−１タグデータは対応する第Ｎ−１サービス処理情報と、第Ｎ−１端末情報と、第Ｎ−１キャリア情報を含む。第Ｎキャリアユニットは、前記第Ｎ端末に接続され、かつ少なくとも一つの第Ｎキャリアを含み、前記第Ｎ端末から前記第Ｎ−１データタグを取得するために用いられ、更に各前記第Ｎキャリアを通じて第Ｎデータタグを配布するために用いられ、第Ｎデータタグは、第Ｎサービス処理情報と、第Ｎ端末情報と、該第Ｎデータタグを配布する第Ｎキャリア情報を含む。
【０００８】
該データタグキャリア情報アプリケーションシステムは、第一端末と第Ｎ端末に接続されるキャリアリソース管理装置を更に含み、キャリアリソース管理装置は、各端末が接続されるキャリアユニットの情報を保存し、前記第一端末と第Ｎ端末に対応する端末キャリアユニットに情報を送信するために用いられる。
【０００９】
該データタグキャリア情報アプリケーションシステムにおいて、前記第一データタグは初期キャリア情報を更に含み；前記第Ｎデータタグは第Ｎ−１キャリア情報を更に含む。
【００１０】
該データタグキャリア情報アプリケーションシステムにおいて、前記システムは、前記第一端末と第Ｎ端末に接続されるサービス処理情報管理装置を更に含み、サービス処理情報管理装置は、前記第一サービス処理情報と、第Ｎサービス処理情報と、対応する第一端末情報と、第一キャリア情報と、第Ｎ端末情報と、第Ｎキャリア情報の保存のために用いられる。
【００１１】
該データタグキャリア情報アプリケーションシステムにおいて、前記データタグはバーコード又はＲＦＩＤタグである。
【００１２】
該データタグキャリア情報アプリケーションシステムにおいて、前記キャリアはディスプレイ装置、印刷物、建築物壁面又は家具表面である。
【００１３】
該データタグキャリア情報アプリケーションシステムにおいて、前記データタグは特定のコーディング規則に基づき確定された電子タグを含み、前記第一データタグが第一サービス処理情報と、第一端末情報と、該第一データタグを配布する第一電子タグと、を含み；前記第Ｎデータタグが第Ｎサービス処理情報と、第Ｎ端末情報と、該第Ｎデータタグを配布する第Ｎ電子タグを含む。
【００１４】
該データタグキャリア情報アプリケーションシステムにおいて、前記第一端末と第Ｎ端末は、いずれも電子タグモジュールを具備し、前記第一端末と第Ｎ端末の電子タグモジュールはネットワークを通じて対応する第一電子タグ及び第Ｎ電子タグをそれぞれ取得するために用いられる。
【００１５】
該データタグキャリア情報アプリケーションシステムは、前記第一端末と第Ｎ端末がいずれも電子タグモジュールを具備し、前記第一端末と第Ｎ端末の電子タグモジュールがネットワークを通じて対応する第一電子タグ及び第Ｎ電子タグをそれぞれ取得するために用いられる。
【００１６】
該データタグキャリア情報アプリケーションシステムは、前記第一端末と第Ｎ端末にそれぞれ接続されるネットワークアクセス装置を更に含む。ネットワークアクセス装置は、前記第一電子タグと、第Ｎ電子タグと、第一電子タグに対応する第一データタグと、第Ｎ電子タグに対応する第Ｎデータタグを保存し、前記第一端末に第一電子タグに対応する第一データタグを提供し、前記第Ｎ端末に第Ｎ電子タグに対応する第Ｎデータタグを提供するために用いられる。
【００１７】
該データタグキャリア情報アプリケーションシステムにおいて、前記電子タグは無線ネットワーク識別子ＳＳＩＤである。
【００１８】
該データタグキャリア情報アプリケーションシステムにおいて、前記端末はＰＣ、スマートフォン、タブレットＰＣ又はＲＦＩＤタグスキャナである。
【００１９】
本発明はデータタグキャリア情報アプリケーション方法を更に提供するものであり、該方法は以下の手順を含む。
【００２０】
（Ａ１）第一ユーザーの操作に基づき、第一端末が初期キャリアから初期データタグを取得する。前記初期データタグは対応する初期サービス処理情報と初期キャリア情報を含む；
（Ａ２）前記第一端末が前記初期データタグを該第一端末に接続される第一キャリアユニットに送信する。第一キャリアユニットは少なくとも一つの第一キャリアを含む；
（Ａ３）前記第一キャリアユニット内の各第一キャリアが第一データタグを配布する。前記第一タグデータは第一サービス処理情報と、第一端末情報と、該第一データタグを配布する第一キャリア情報を含む。
【００２１】
該データタグキャリア情報アプリケーション方法は、以下の手順を更に含む。
（Ｂ１）第Ｎユーザーの操作に基づき、第Ｎ端末が第Ｎ−１キャリアから第Ｎ−１データタグを取得する；
（Ｂ２）前記第Ｎ端末は、前記第Ｎ−１データタグを該第Ｎ端末の第Ｎキャリアユニットに接続し、前記第Ｎキャリアユニットは少なくとも一つの第Ｎキャリアを含む；
（Ｂ３）前記第Ｎキャリアユニット内の各第Ｎキャリアは第Ｎデータタグを配布する。前記第Ｎデータタグは第Ｎサービス処理情報と、第Ｎ端末情報と、該第Ｎデータタグを配布する第Ｎキャリア情報を含む。
【００２２】
該データタグキャリア情報アプリケーション方法において、前記第一端末と第Ｎ端末がいずれも、キャリアリソース管理装置に接続され、前記キャリアソース管理装置は各端末に接続されるキャリアユニットの情報を保存し、前記手順（Ａ２）が具体的には、前記第一端末が前記キャリアリソース管理装置を通じて該第一端末に接続される第一キャリアユニットの情報を取得し、かつ前記初期データタグを該第一キャリアユニット内の少なくとも一つの第一キャリアに送信し；前記手順（Ｂ２）が具体的には、前記第Ｎ端末が前記キャリアリソース管理装置を通じて該第Ｎ端末に接続される第Ｎキャリアユニットの情報を取得し、かつ前記第Ｎ−１データタグを該第Ｎキャリアユニット内の少なくとも一つの第Ｎキャリアに送信する。
【００２３】
該データタグキャリア情報アプリケーション方法において、前記第一データタグは初期キャリア情報を更に含み；前記第Ｎデータタグは第Ｎ−１キャリア情報を更に含む。
【００２４】
該データタグキャリア情報アプリケーション方法において、第一端末と第Ｎ端末がいずれもサービス処理情報管理装置に接続され、前記方法が以下の手順を更に含む。
【００２５】
（Ａ４）前記サービス処理情報管理装置が前記第一サービス処理情報と、対応する第一端末情報と、第一キャリア情報を保存する；
（Ｂ４）前記サービス処理情報管理装置が前記第Ｎサービス処理情報と、対応する第Ｎ端末情報と、第Ｎキャリア情報を保存する。
【００２６】
該データタグキャリア情報アプリケーション方法において、前記データタグがバーコード又はＲＦＩＤタグである。
【００２７】
該データタグキャリア情報アプリケーション方法において、前記データタグが特定のコーディング規則に基づき確定された電子タグを含み、前記手順（Ａ３）が具体的には、前記第一キャリアユニット内の各第一キャリアが第一データタグを配布する。前記第一データタグが第一サービス処理情報と、第一端末情報と、該第一データタグを配布する第一電子タグを含む；前記手順（Ｂ３）が具体的には、前記第Ｎキャリアユニット内の各第Ｎキャリアが第Ｎデータタグを配布する。前記第Ｎデータタグが第Ｎサービス処理情報と、第Ｎ端末情報と、該第Ｎデータタグを配布する第Ｎ電子タグを含む。
【００２８】
該データタグキャリア情報アプリケーション方法において、前記第一端末と第Ｎ端末はいずれも電子タグモジュールを具備し、かつ前記第一電子タグと第Ｎ電子タグを保存する電子タグサーバーに接続され、前記手順（Ａ３）が具体的には、前記第一キャリアユニット内の各第一キャリアが前記電子タグサーバーから取得した第一データタグを配布し、電気第一データタグが第一サービス処理情報と、第一端末情報と、該第一データタグを配布する第一電子タグを含み；前記手順（Ｂ３）が具体的には、前記第Ｎキャリアユニット内の各第Ｎキャリアが第Ｎデータタグを配布する。前記第Ｎデータタグは第Ｎサービス処理情報と、第Ｎ端末情報と、前記電子タグサーバーから取得した該第Ｎデータタグを配布する第Ｎ電子タグを含む。
【００２９】
該データタグキャリア情報アプリケーション方法において、前記第一端末と第Ｎ端末はいずれも電子タグモジュールを具備し、ネットワークアクセス装置に接続され、前記ネットワークアクセス装置は第一電子タグ又は第Ｎ電子タグと、第一電子タグに対応する第一データタグと、第Ｎ電子タグに対応する第Ｎデータタグを保存し、前記手順（Ａ３）が具体的には、前記第一キャリアユニット内の各第一キャリアが前記ネットワークアクセス装置から取得した第一データタグを配布する。前記第一データタグが第一サービス処理情報と、第一端末情報と、該第一データタグを配布する第一電子タグを含む；前記手順（Ｂ３）が具体的には、前記第Ｎキャリアユニット内の各第Ｎキャリアが前記ネットワークアクセス装置から取得した第Ｎデータタグを配布する。前記第Ｎデータタグが第Ｎサービス処理情報と、第Ｎ端末情報と、該第Ｎデータタグを配布する第Ｎ電子タグを含む。
【００３０】
該データタグキャリア情報アプリケーション方法において、前記電子タグが無線ネットワーク識別子ＳＳＩＤである。
【００３１】
本発明は、データタグキャリア情報処理システムを更に提供するものである。データタグキャリア情報処理システムは、最終端末と機能サーバーを含む。最終端末は、アプリケーションシステムエンドユーザーの操作に基づき第一キャリア又は第Ｎキャリアから前記第一データタグ又は第Ｎデータタグを取得し、かつ前記第一又は第Ｎデータタグを解析し、対応する第一／第Ｎサービス処理情報と、第一／第Ｎ端末情報と、第一／第Ｎキャリア情報を取得するために用いられる。機能サーバーは、サービス機能に基づき初期データタグを生成及び配布し、前記最終端末と対話を行い、前記サービス機能を実現するために用いられる。
【００３２】
該データタグキャリア情報処理システムにおいて、前記機能サーバーはサービス処理情報管理装置に更に接続され、該機能サーバーは前記第一／第Ｎサービス処理情報に基づき前記サービス処理情報管理装置から該第一／第Ｎサービス処理情報を配布するキャリア情報を取得し、かつ該第一／第Ｎサービス処理情報を配布するキャリア情報に基づき初期サービス処理情報及びその伝達経路を確定するために用いられる。
【００３３】
本発明はデータタグキャリア情報処理方法を更に提供するものであり、該方法は以下の手順を含む。
【００３４】
（Ｃ１）前記データタグキャリア情報アプリケーション方法を利用して前記第一キャリア又は第Ｎキャリア上に前記第一データタグ又は第Ｎデータタグを配布する；
（Ｃ２）エンドユーザーの操作に基づき、最終端末が前記第一タグ又は第Ｎデータタグを取得する；
（Ｃ３）前記最終端末が前記第一データタグ又は第Ｎデータタグを解析し、対応する第一／第Ｎサービス処理情報と、第一／第Ｎ端末情報と、第一／第Ｎキャリア情報を取得する；
（Ｃ４）前記最終インテリジェント端末が前記第一／第Ｎサービス処理情報に基づき該サービス処理情報に対応する機能サーバーと対話を行い、サービス機能を実現する。
【００３５】
該データタグキャリア情報処理方法において、前記機能サーバーがサービス処理情報管理装置に更に接続され、前記方法が以下の手順を更に含む。
【００３６】
（Ｃ５）前記機能サーバーが前記第一／第Ｎサービス処理情報に基づき前記サービス処理情報管理装置から該第一／第Ｎサービス処理情報を配布するキャリア情報を取得する；
（Ｃ６）前記機能サーバーが該第一／第Ｎサービス処理情報を配布するキャリア情報に基づき初期サービス処理情報及びその伝達経路を確定する。
【００３７】
該データタグキャリア情報処理方法において、前記方法の手順（Ｃ１）の前に以下の手順を更に含む。
【００３８】
（ＣＯ）前記機能サーバーが初期サービス処理情報及び初期キャリア情報を具備する初期データタグを生成し、かつ初期キャリア上において配布する。
【発明の効果】
【００３９】
該発明のデータタグキャリア情報アプリケーション及び処理システム及び方法を採用すれば、そのアプリケーションシステム内の第一端末が初期データタグを取得した後、第一キャリアユニット内の第一キャリアから第一サービス処理情報と、第一端末情報と、第一キャリア情報とを含む第一データタグを配布し；更にその後の第Ｎ端末も直前の端末の第Ｎ−１データタグを取得し、第Ｎキャリアユニット中の第Ｎキャリアを通じて第Ｎデータタグを配布するため、データタグ伝達プロセスにおいてデータタグのキャリア情報を有効に記録できると同時に、オフラインキャリアによって表示されたデータタグの伝達をサポートし、タグデータの伝達範囲を拡大することができる。また本発明の処理システム及び方法において、最終端末が機能サーバーとの対話を通じてサービス機能を実現した後、機能サーバーは該初期データタグに対応する伝達経路を取得し、これによりタグデータをより大規模に商業的に応用することができ、更に本発明のデータタグキャリア情報アプリケーション及び処理システム及び方法は、そのシステム構造がシンプルで、方法の実現形式も簡便であって、低コストを実現できる。
【図面の簡単な説明】
【００４０】
図１は本発明のデータタグキャリア情報アプリケーション方法のフロー図である。
図２は本発明のデータタグキャリア情報処理システムの実際の応用における実施例の一つのフローチャートである。
図３は本発明のデータタグキャリア情報処理システムの実際の応用における別の実施例のフローチャートである。
図４は本発明のデータタグキャリア情報アプリケーション方法の実際の応用において電子タグをデータタグとする応用形態の概要を示す図である。
【発明を実施するための形態】
【００４１】
具体的な実施形態
【００４２】
本発明の技術的内容をより明確に理解できるよう、以下、実施例を挙げて詳細に説明する。
【００４３】
実施形態の一つにおいて、本発明のデータタグキャリア情報アプリケーションシステムは、第一端末と第一キャリアユニットを含む。第一端末は、初期キャリアから初期データタグを取得するために用いられ、前記初期データタグは対応する初期サービス処理情報と初期キャリア情報を含む。第一キャリアユニットは、前記第一端末に接続され、かつ少なくとも一つの第一キャリアを含み、前記第一端末から前記初期データタグを取得するために用いられ、更に各前記第一キャリアを通じて第一データタグを配付し、前記第一データタグは、第一サービス処理情報と、第一端末情報と、該第一データタグを配布する第一キャリア情報を含む。なお前記端末はＰＣ、スマートフォン、タブレットＰＣ又はＲＦＩＤタグスキャナ等の装置とすることができる。
【００４４】
該実施形態で説明するシステムを利用して実現されるデータタグキャリア情報アプリケーション方法は、図１に示す通り、以下の手順を含む。
【００４５】
（Ａ１）第一ユーザーの操作に基づき、第一端末が初期キャリアから初期データタグを取得する。前記初期データタグは対応する初期サービス処理情報と初期キャリア情報を含む；
（Ａ２）前記第一端末が前記初期データタグを該第一端末に接続される第一キャリアユニットに送信する。第一キャリアユニットは少なくとも一つの第一キャリアを含む；
（Ａ３）前記第一キャリアユニット内の各第一キャリアが第一データタグを配布する。前記第一タグデータは第一サービス処理情報と、第一端末情報と、該第一データタグを配布する第一キャリア情報を含む。
【００４６】
好ましい実施形態において、該データタグキャリア情報アプリケーションシステムは、第Ｎ端末と第Ｎキャリアユニットを更に含む。第Ｎ端末は、第Ｎ−１キャリアから第Ｎ−１データタグを取得するために用いられ、前記第Ｎ−１タグデータは対応する第Ｎ−１サービス処理情報と、第Ｎ−１端末情報と、第Ｎ−１キャリア情報を含む。第Ｎキャリアユニットは、前記第Ｎ端末に接続され、かつ少なくとも一つの第Ｎキャリアを含み、前記第Ｎ端末から前記第Ｎ−１データタグを取得するために用いられ、更に各前記第Ｎキャリアを通じて第Ｎデータタグを配布するために用いられ、前記第Ｎデータタグは、第Ｎサービス処理情報と、第Ｎ端末情報と、該第Ｎデータタグを配布する第Ｎキャリア情報を含む。
【００４７】
該実施形態で説明するシステムを利用して実現されるデータタグキャリア情報アプリケーション方法は、以下の手順を更に含む：
【００４８】
（Ｂ１）第Ｎユーザーの操作に基づき、第Ｎ端末が第Ｎ−１キャリアから第Ｎ−１データタグを取得する；
（Ｂ２）前記第Ｎ端末は、前記第Ｎ−１データタグを該第Ｎ端末の第Ｎキャリアユニットに接続し、前記第Ｎキャリアユニットは前記第Ｎ−１データタグを該第Ｎ端末の第Ｎキャリアユニットに接続し、前記第Ｎキャリアユニットは少なくとも一つの第Ｎキャリアを含む；
（Ｂ３）前記第Ｎキャリアユニット内の各第Ｎキャリアは第Ｎデータタグを配布する。前記第Ｎデータタグは第Ｎサービス処理情報と、第Ｎ端末情報と、該第Ｎデータタグを配布する第Ｎキャリア情報を含む。
【００４９】
より好ましい実施形態において、該データタグキャリア情報アプリケーションシステムは、第一端末と第Ｎ端末に接続されるキャリアリソース管理装置を更に含み、該キャリアリソース管理装置は、各端末が接続されるキャリアユニットの情報を保存し、前記第一端末と第Ｎ端末に対応する端末キャリアユニットに情報を送信するために用いられる。
【００５０】
該実施形態で説明するシステムを利用して実現されるデータタグキャリア情報アプリケーション方法において、前記手順（Ａ２）が具体的には、前記第一端末が前記キャリアリソース管理装置を通じて該第一端末に接続される第一キャリアユニットの情報を取得し、かつ前記初期データタグを該第一キャリアユニット内の少なくとも一つの第一キャリアに送信し；前記手順（Ｂ２）が具体的には、前記第Ｎ端末が前記キャリアリソース管理装置を通じて該第Ｎ端末に接続される第Ｎキャリアユニットの情報を取得し、かつ前記第Ｎ−１データタグを該第Ｎキャリアユニット内の少なくとも一つの第Ｎキャリアに送信する。
【００５１】
更に好ましい実施形態において、前記第一データタグは初期キャリア情報を更に含み；前記第Ｎデータタグは第Ｎ−１キャリア情報を更に含む。
【００５２】
更により好ましい実施形態において、該データタグキャリア情報アプリケーションシステムは、前記第一端末と第Ｎ端末に接続されるサービス処理情報管理装置を更に含み、該サービス処理情報管理装置は、前記第一サービス処理情報と、第Ｎサービス処理情報と、対応する第一端末情報と、第一キャリア情報と、第Ｎ端末情報と、第Ｎキャリア情報の保存のために用いられる。
【００５３】
該実施形態で説明するシステムを利用して実現されるデータタグキャリア情報アプリケーション方法において、前記方法は以下の手順を更に含む。
【００５４】
（Ａ４）前記サービス処理情報管理装置が前記第一サービス処理情報と、対応する第一端末情報と、第一キャリア情報を保存する；
（Ｂ４）前記サービス処理情報管理装置が前記第Ｎサービス処理情報と、対応する第Ｎ端末情報と、第Ｎキャリア情報を保存する。
【００５５】
別の好ましい実施形態において、前記データタグはバーコード又はＲＦＩＤタグである。また前記キャリアはディスプレイ装置、印刷物、建築物壁面又は家具表面である。
【００５６】
更に好ましい実施形態において、前記データタグは特定のコーディング規則に基づき確定された電子タグを含み、前記第一データタグは第一サービス処理情報と、第一端末情報と、該第一データタグを配布する第一電子タグを含み；前記第Ｎデータタグは第Ｎサービス処理情報と、第Ｎ端末情報と、該第Ｎデータタグを配布する第Ｎ電子タグを含む。
【００５７】
該実施形態で説明するシステムを利用して実現されるデータタグキャリア情報アプリケーション方法において、前記手順（Ａ３）が具体的には、前記第一キャリアユニット内の各第一キャリアが第一データタグを配布する。前記第一データタグが第一サービス処理情報と、第一端末情報と、該第一データタグを配布する第一電子タグを含む；前記手順（Ｂ３）が具体的には、前記第Ｎキャリアユニット内の各第Ｎキャリアが第Ｎデータタグを配布する。前記第Ｎデータタグが第Ｎサービス処理情報と、第Ｎ端末情報と、該第Ｎデータタグを配布する第Ｎ電子タグを含む。前記第Ｎキャリアユニット内の各第Ｎキャリアが第Ｎデータタグを配布する。前記第Ｎデータタグが第Ｎサービス処理情報と、第Ｎ端末情報と、該第Ｎデータタグを配布する第Ｎ電子タグを含む。
【００５８】
電子タグは、電子タグサーバーに接続する方法によって取得することも、ネットワークアクセス装置（ルーター、信号基地局等）に接続する方法によって取得することも可能である。
【００５９】
電子タグサーバーに接続する方法を採用する実施形態において、前記第一端末と第Ｎ端末はいずれも電子タグモジュールを具備し、前記第一端末と第Ｎ端末の電子タグモジュールがネットワークを通じて対応する第一電子タグ及び第Ｎ電子タグをそれぞれ取得するために用いられる。システムは、電子タグサーバーを更に含み、ネットワークを通じて前記第一端末と第Ｎ端末にそれぞれ接続し、前記電子タグサーバーは前記第一電子タグと第Ｎ電子タグを保存し、前記第一端末に第一電子タグに対応する第一データタグを提供し、更に前記第Ｎ端末に第Ｎ電子タグに対応する第Ｎデータタグを提供するために用いられる。
【００６０】
これに対応し、前記手順（Ａ３）が具体的には、前記第一キャリアユニット内の各第一キャリアが前記電子タグサーバーから取得した第一データタグを配布し、電気第一データタグが第一サービス処理情報と、第一端末情報と、該第一データタグを配布する第一電子タグを含み；前記手順（Ｂ３）が具体的には、前記第Ｎキャリアユニット内の各第Ｎキャリアが第Ｎデータタグを配布する。前記第Ｎデータタグは第Ｎサービス処理情報と、第Ｎ端末情報と、前記電子タグサーバーから取得した該第Ｎデータタグを配布する第Ｎ電子タグを含む。
【００６１】
ネットワークアクセス装置に接続する方法を採用する実施形態において、前記第一端末と第Ｎ端末はいずれも電子タグモジュールを具備し、前記第一端末と第Ｎ端末の電子タグモジュールはネットワークを通じて対応する第一電子タグ及び第Ｎ電子タグをそれぞれ取得するために用いられる。該システムは、ネットワークアクセス装置を更に含み、前記第一端末と第Ｎ端末にそれぞれ接続され、前記ネットワークアクセス装置は前記第一電子タグと、第Ｎ電子タグと、第一電子タグに対応する第一データタグと、第Ｎ電子タグに対応する第Ｎデータタグを保存し、前記第一端末に第一電子タグに対応する第一データタグを提供し、更に前記第Ｎ端末に第Ｎ電子タグに対応する第Ｎデータタグを提供するために用いられる。
【００６２】
これに対応して、前記手順（Ａ３）が具体的には、前記第一キャリアユニット内の各第一キャリアが前記ネットワークアクセス装置から取得した第一データタグを配布する。前記第一データタグが第一サービス処理情報と、第一端末情報と、該第一データタグを配布する第一電子タグを含む；前記手順（Ｂ３）が具体的には、前記第Ｎキャリアユニット内の各第Ｎキャリアが前記ネットワークアクセス装置から取得した第Ｎデータタグを配布する。前記第Ｎデータタグが第Ｎサービス処理情報と、第Ｎ端末情報と、該第Ｎデータタグを配布する第Ｎ電子タグを含む。
【００６３】
前記電子タグを無線ネットワーク識別子ＳＳＩＤとすることができる。
【００６４】
本発明はデータタグキャリア情報処理システムを更に提供するものである。実施形態の一つにおいて、該データタグキャリア情報処理システムは、最終端末と機能サーバーを含む。最終端末は、前記データタグキャリア情報応用システムアプリケーションシステムと、エンドユーザーの操作に基づき第一キャリア又は第Ｎキャリアから前記第一データタグ又は第Ｎデータタグを取得し、かつ前記第一又は第Ｎデータタグを解析し、対応する第一／第Ｎサービス処理情報と、第一／第Ｎ端末情報と、第一／第Ｎキャリア情報を取得するために用いられる。機能サーバーは、サービス機能に基づき初期データタグを生成及び配布し、前記最終端末と対話を行い、前記サービス機能を実現するために用いられる
【００６５】
該データタグキャリア情報処理システムを利用して実現されるデータタグキャリア情報処理方法は、以下の手順を含む。
（ＣＯ）前記機能サーバーが初期サービス処理情報及び初期キャリア情報を具備する初期データタグを生成し、かつ初期キャリア上において配布する。
【００６６】
（Ｃ１）前記データタグキャリア情報アプリケーション方法を利用して前記第一キャリア又は第Ｎキャリア上に前記第一データタグ又は第Ｎデータタグを配布する；
（Ｃ２）エンドユーザーの操作に基づき、最終端末が前記第一タグ又は第Ｎデータタグを取得する；
（Ｃ３）前記最終端末が前記第一データタグ又は第Ｎデータタグを解析し、対応する第一／第Ｎサービス処理情報と、第一／第Ｎ端末情報と、第一／第Ｎキャリア情報を取得する；
（Ｃ４）前記最終インテリジェント端末が前記第一／第Ｎサービス処理情報に基づき該サービス処理情報に対応する機能サーバーと対話を行い、サービス機能を実現する。
【００６７】
好ましい実施形態において、前記機能サーバーはサービス処理情報管理装置に更に接続され、該機能サーバーは前記第一／第Ｎサービス処理情報に基づき前記サービス処理情報管理装置から該第一／第Ｎサービス処理情報を配布するキャリア情報を取得し、かつ該第一／第Ｎサービス処理情報を配布するキャリア情報に基づき、初期サービス処理情報及びその伝達経路を確定するために用いられる。
【００６８】
該好ましい実施形態で説明するシステムを利用して実現されるデータタグキャリア情報処理方法において、前記方法は以下の手順を更に含む。
【００６９】
（Ｃ５）前記機能サーバーが前記第一／第Ｎサービス処理情報に基づき前記サービス処理情報管理装置から該第一／第Ｎサービス処理情報を配布するキャリア情報を取得する；
（Ｃ６）前記機能サーバーが該第一／第Ｎサービス処理情報を配布するキャリア情報に基づき初期サービス処理情報及びその伝達経路を確定する。
【００７０】
以下、本発明のデータタグキャリア情報アプリケーション及び処理システム及び方法の実際の応用における複数の具体的な実施例をそれぞれ紹介する。
【実施例１】
【００７１】
図２に示す通り、刊行物雑誌出版業者は出版物に広告スペースを設け、企業が広告を掲載することを期待する。一方、製品又はサービスの販売業者は出版物に広告を掲載することを希望する。出版業者（第一ユーザー）は自社のインテリジェント端末（第一端末）を利用して販売業者のサービスネットワーク（モノのインターネット／ＯＴＯプラットフォーム等）から提供された二次元コード（初期データタグ）を撮影し、その後、該二次元コードを標準化データバックグラウンドサーバー（キャリアリソース管理装置）に送信する。該サーバーは出版業者の広告スペース情報（キャリア情報）を保存し、かつ該キャリア情報と当初の二次元コードを利用して新たな二次元コード（第一データタグ）を生成の上、出版業者に返送すると同時に、標準化データバックグラウンドサーバーが当初の二次元コードに対応するキャリア情報を記録する。出版業者は該二次元コードを出版物の広告スペースに印刷し、ユーザーが相応の製品又はサービス情報を取得できるように提供する。
【実施例２】
【００７２】
上述の実施例１をベースにして、更に複数の屋外広告スペース（第二キャリア）を有する別の広告会社（第二ユーザー）が存在する場合は、該屋外広告会社は自社のインテリジェント端末（第二インテリジェント端末）を利用して出版物に印刷される二次元コード（第一データタグ）を撮影し、その後、該二次元コード（第一データタグ）を標準化データバックグラウンドサーバー（キャリアリソース管理装置）に送信する。該サーバーは該屋外広告会社の広告スペース情報（第二キャリア情報）を保存し、かつ該第二キャリア情報を第一データタグ中の第一キャリア情報に代替して利用し、新たな二次元コード（第二データタグ）を生成の上、屋外広告会社に返送すると同時に、標準化データバックグラウンドサーバーが当初の二次元コードに対応する第二キャリア情報を記録する。屋外広告会社は該二次元コード（第二データタグ）を屋外の広告スペースに表示し、ユーザーが相応の製品又はサービス情報を取得できるように提供する。これにより、データタグ情報のオフラインキャリア上における伝達が実現できる。
【実施例３】
【００７３】
上述実施例１及び２をベースにして、あるユーザー（エンドユーザー）が出版物又は屋外広告スペースの広告に目を留め、相応のサービスを受けたいと考える場合は、自身のインテリジェント端末（最終インテリジェント端末）を利用して出版物又は屋外広告スペースの二次元コード（第一又は第二データタグ）を撮影し、該二次元コードをデコードした後、販売業者のサービスネットワーク（モノのインターネット／ＯＴＯプラットフォーム等）との対話を通じて対応するサービスを実現することが可能である。この時、販売業者のサービスネットワーク（モノのインターネット／ＯＴＯプラットフォーム等）は標準化データバックグラウンドサーバー（キャリアリソース管理装置）を通じてデータタグの伝達経路を取得でき、かつこの伝達経路に基づき各キャリア（オンライン及びオフライン）のビジネス貢献度又はレベニューシェア等の情報を確定できる。
【実施例４】
【００７４】
実施例３をベースとして、図３に示す通り、エンドユーザーは更に中間ユーザーとしても、サービスを得ることができると同時に、更に該二次元コード（データタグ）を次のユーザーに転送することもできる。このようにすることでデータタグの応用規模が更に拡大される。
【００７５】
具体的には、電子タグをデータタグとして利用する場合の、本発明の応用形態は図４に示す通りである。
【００７６】
端末装置がインテリジェント端末又はコンピュータである場合は、以下の手順を含む。
【００７７】
１、各ノードのインテリジェント端末又はコンピュータ上においてそれぞれ実行される専用Ａｐｐ又はソフトウエアは、ソフトウエア中に組織内の無線ネットワーク装置識別子（例：ＳＳＩＤ）及び対応するセキュリティパスワードを保存しており、専用ソフトウエアを通じて接続可能な無線ネットワークに自動接続して通信を行う。
２、ＩＤ−ＸがＩＤ−Ｘ−１のデータタグ（サービス処理情報Ｓ１及びキャリアＩＤ−Ｘ−１を含む）情報を取得し、ＩＤ−Ｘの操作に基づき新たなサービス処理Ｓ２を生成する。
３、電子タグコーディング規則に基づきＩＤ−Ｘ配布サイトの無線ネットワーク装置ＡＰの識別子（例：ＳＳＩＤ）を定義し、ＩＤ−Ｘの一ランク下位の電子タグＩＤ−Ｍを生成する。
４、ＩＤ−Ｘはインテリジェント端末又はコンピュータ上において専用Ａｐｐ又はソフトウエアを操作し、ＩＤ−Ｘが生成したサービス処理Ｓ２と、キャリアＩＤ−Ｘと、電子タグＩＤ−Ｍの情報を電子タグ登録／解析サーバーに送信して登録を行い、新たな仮想デジタルタグを生成し、電子タグ登録／解析サーバーに保存する。
５、ＩＤ−Ｘ＋１はインテリジェント端末又はコンピュータの専用Ａｐｐ又はソフトウエアを通じて、無線ネットワークに接続され、接続された無線ネットワーク装置の識別子を取得し、電子タグＩＤ−Ｍを取得する。
６、ＩＤ−Ｘ＋１は取得した電子タグＩＤ−Ｍを電子タグ登録／解析サーバーに送信して解析を行い、ＩＤ−Ｘ／ＩＤ−Ｍの仮想デジタルタグ（サービス処理Ｓ２及びキャリアＩＤ−Ｘ／ＩＤ−Ｍを含む）情報を取得する。
【００７８】
端末装置が無線ネットワーク装置である場合は、以下の手順を含む。
【００７９】
１、各ノードのインテリジェント端末又はコンピュータ上においてそれぞれ実行される専用Ａｐｐ又はソフトウエアは、ソフトウエア中組織内の無線ネットワーク装置識別子（例：ＳＳＩＤ）及び対応するセキュリティパスワードを保存しており、専用ソフトウエアを通じて接続可能な無線ネットワークに自動接続して通信を行う。
２、各無線ネットワーク装置内には等しく電子タグコーディング規則に基づき定義されたＩＤ−Ｍと、関連の情報を保存可能な保存スペース（仮想データタグ）が存在し、該保存スペースの関連情報は装置の所有者がこれを変更でき、インテリジェント端末又はコンピュータ上において実行される専用Ａｐｐ又はソフトウエアが情報の読取を行うために提供される。
３、ＩＤ−ＸがＩＤ−Ｘ−１のデータタグ（サービス処理Ｓ１及びキャリアＩＤ−Ｘ−１を含む）情報を取得し、ＩＤ−Ｘの操作に基づき新たなサービス処理情報Ｓ２を生成する。
４、ＩＤ−Ｘはインテリジェント端末又はコンピュータ上の専用Ａｐｐ又はソフトウエアを操作し、ＩＤ−Ｘが生成したサービス処理情報Ｓ２と、キャリアＩＤ−Ｘ情報を電子タグＩＤ−Ｍの無線ネットワーク装置中の仮想データタグを保存可能な保存スペースに伝送する。
５、ＩＤ−Ｘ＋１はインテリジェント端末又はコンピュータの専用Ａｐｐ又はソフトウエアを通じて、無線ネットワークに接続され、現在、接続されている無線ネットワーク装置中に保存されるデータ（サービス処理情報Ｓ２及びキャリア情報ＩＤ−Ｘ）を取得する。
６、ＩＤ−Ｘ＋１のインテリジェント端末又はコンピュータ専用Ａｐｐ又はソフトウエアは、無線ネットワーク装置から取得した保存データと、該無線ネットワーク装置の電子タグＩＤ−Ｍを用いて、ＩＤ−Ｘ／ＩＤ−Ｍの仮想デジタルタグ（サービス処理Ｓ２とキャリアＩＤ−Ｘ／ＩＤ−Ｍを含む）情報を取得する。
【００８０】
以上をまとめれば、本発明は実際の応用においてオフラインキャリアを利用してデータタグの伝達を実現するという優位性を有するのみならず、更に以下の優位性を有する。
【００８１】
１、クロスオーガニゼーションとクロスプラットフォームの特性を有する、プラットフォームリソースの優位性を利用して、巨大かつ動的で、大面積かつ多業態にわたるビジネス活動参加サービスシステムを確立し、商契約の手段を通じて普及を図ることができる。
２、データタグの転送を通じて、従来のモノのインターネット（インターネット）技術では解決できなかったオフラインビジネス活動の技術的障害を克服し、オフラインキャリアをオンライン化させる。
３、オンライン化可能なリソースとオンライン化不能なリソースのいずれもがビジネス活動に参加でき、利益を共有できる。
４、最終的にオフライン及びオンラインキャリアの参加効果につき、データ収集と分析を行うことで、ビジネス活動への参加によってもたらされる収益と、収益を再分配できる。
【００８２】
該発明のデータタグキャリア情報アプリケーション及び処理システム及び方法では、そのアプリケーションシステム内の第一端末が初期データタグを取得した後、第一キャリアユニット内の第一キャリアから第一サービス処理情報と、第一端末情報と、第一キャリア情報を含む第一データタグを配布し；更にその後の第Ｎ端末も直前の端末の第Ｎ−１データタグを取得し、第Ｎキャリアユニット中の第Ｎキャリアを通じて第Ｎデータタグを配布するため、データタグ伝達プロセスにおいてデータタグのキャリア情報を有効に記録できると同時に、オフラインキャリアによって表示されたデータタグの伝達をサポートし、タグデータの伝達範囲を拡大することができる。また本発明の処理システム及び方法では、最終端末が機能サーバーとの対話を通じてサービス機能を実現した後、機能サーバーが該初期データタグに対応する伝達経路を取得し、これによりタグデータをより大規模に商業的に応用することができる。更に本発明のデータタグキャリア情報アプリケーション及び処理システム及び方法は、そのシステム構造がシンプルで、方法の実現形式も簡便であって、低コストを実現できる。
【００８３】
本明細書においては本発明につき特定の実施例を挙げて説明を行ったものであるが、本発明の精神及び範囲から逸脱することなく、各種修正及び変更を行うことができるのは言うまでもない。また本明細書と図は限定ではなく例示説明を目的とするものとみなされるべきである。
【図１】
0006376616.tif 000002
【図２】
0006376616.tif 000003
【図３】
0006376616.tif 000004
【図４】
0006376616.tif 000005